(57)【要約】【課題】排水中に含まれるセレンを簡便に除去する方法を提供する。【解決手段】［１］  セレンを含む水中に添加し前記セレンを除去する薬剤であって、主要な成分の１つとして硫酸バリウムを含む薬剤。［２］  セレンを含む排水中に前記薬剤を投入する投入工程と、前記排水を投入された前記薬剤とともに撹拌する撹拌工程と、撹拌された前記排水を静置して前記薬剤に含まれる硫酸バリウムを沈殿させ、該排水から前記沈殿を除去する除去工程と、を有し、前記除去工程において、前記セレンを前記沈殿と共に前記排水から除去することを特徴とするセレン含有排水の処理方法。【選択図】なし【特許請求の範囲】
【請求項１】
セレンを含む水中に添加し前記セレンを除去する薬剤であって、主要な成分の１つとして硫酸バリウムを含む薬剤。 
【請求項２】
セレンを含む排水中に請求項１に記載の薬剤を投入する投入工程と、
前記排水を投入された前記薬剤とともに撹拌する撹拌工程と、
撹拌された前記排水を静置して前記薬剤に含まれる硫酸バリウムを沈殿させ、該排水から前記沈殿を除去する除去工程と、を有し、
前記除去工程において、前記セレンを前記沈殿と共に前記排水から除去することを特徴とするセレン含有排水の処理方法。
【請求項３】
セレンを含む排水中で硫酸バリウムの沈殿を生成する沈殿工程と、
前記排水から前記沈殿を除去する除去工程と、を有し、
前記除去工程において、前記セレンを前記沈殿と共に前記排水から除去することを特徴とするセレン含有排水の処理方法。
【請求項４】
前記排水に、硫酸イオン及びバリウムイオンのうち少なくとも一方を添加することを特徴とする請求項３に記載のセレン含有排水の処理方法。
【請求項５】
前記排水に含まれる前記セレンがセレンのオキソ酸イオンであることを特徴とする請求項３又は４に記載のセレン含有排水の処理方法。
【請求項６】
前記沈殿工程において、前記排水に含まれる前記セレンの初期濃度がセレン原子換算で０．０１ｍｇ／Ｌ以上であることを特徴とする請求項３〜５の何れか一項に記載のセレン含有排水の処理方法。
【請求項７】
前記沈殿工程において、前記排水に含まれるバリウムイオンの合計と、前記排水に含まれる硫酸イオンの合計の比（Ｂａ／ＳＯ４比）が、０．９以上であることを特徴とする請求項３〜６の何れか一項に記載のセレン含有排水の処理方法。
【発明の詳細な説明】
【技術分野】
【０００１】
本発明は、硫酸バリウムを利用した薬剤及びセレン含有排水の処理方法に関する。
【背景技術】
【０００２】
化学事業所や工事現場の排水にはセレンが含まれることがある。セレンは、例えばセレン酸イオン等のオキソ酸イオンの形態をとることができ、水溶液中における溶解性が高いので、従来の一般的な排水処理に使用される硫酸バンド（硫酸アルミニウム）、ＰＡＣ（ポリ塩化アルミニウム）等の無機凝集剤や、高分子ポリマーを含む有機凝集剤によって沈殿させて除去することは困難である。そこで、特許文献１では、シュベルトマナイトと呼ばれる酸化鉄鉱物にセレンを吸着させる方法が提案されている。
【先行技術文献】
【特許文献】
【０００３】
【特許文献１】特開２００５−９５７３２号公報
【発明の概要】
【発明が解決しようとする課題】
【０００４】
しかしながら、シュベルトマナイトの吸着効率は必ずしも高くなく、大量の排水を処理するためには大量のシュベルトマナイトが必要となる。シュベルトマナイトは汎用的な材料ではないため、コスト高になる問題がある。
【０００５】
本発明は、排水中に含まれるセレンを簡便に除去する、薬剤及びそれを用いたセレン含有排水の処理方法を提供する。
【課題を解決するための手段】
【０００６】
［１］  セレンを含む水中に添加し前記セレンを除去する薬剤であって、主要な成分の１つとして硫酸バリウムを含む薬剤。 
［２］  セレンを含む排水中に［１］に記載の薬剤を投入する投入工程と、前記排水を投入された前記薬剤とともに撹拌する撹拌工程と、撹拌された前記排水を静置して前記薬剤に含まれる硫酸バリウムを沈殿させ、該排水から前記沈殿を除去する除去工程と、を有し、前記除去工程において、前記セレンを前記沈殿と共に前記排水から除去することを特徴とするセレン含有排水の処理方法。
［３］  セレンを含む排水中で硫酸バリウムの沈殿を生成する沈殿工程と、前記排水から前記沈殿を除去する除去工程と、を有し、前記除去工程において、前記セレンを前記沈殿と共に前記排水から除去することを特徴とするセレン含有排水の処理方法。
［４］  前記排水に、硫酸イオン及びバリウムイオンのうち少なくとも一方を添加することを特徴とする［３］に記載のセレン含有排水の処理方法。
［５］  前記排水に含まれる前記セレンがセレンのオキソ酸イオンであることを特徴とする［３］又は［４］に記載のセレン含有排水の処理方法。
［６］  前記沈殿工程において、前記排水に含まれる前記セレンの初期濃度がセレン原子換算で０．０１ｍｇ／Ｌ以上であることを特徴とする［３］〜［５］の何れか一項に記載のセレン含有排水の処理方法。
［７］  前記沈殿工程において、前記排水に含まれるバリウムイオンの合計と、前記排水に含まれる硫酸イオンの合計の比（Ｂａ／ＳＯ４比）が、０．９以上であることを特徴とする［３］〜［６］の何れか一項に記載のセレン含有排水の処理方法。
【発明の効果】
【０００７】
本発明の薬剤及びセレン含有排水の処理方法によれば、セレンを含む排水中で硫酸バリウムを撹拌することにより、その硫酸バリウムの沈殿にセレンを取り込んで、硫酸バリウムの沈殿と共にセレンを沈殿させ、排水からセレンを除去することができる。硫酸バリウムは汎用的な化学薬品であるので、簡便に排水からセレンを除去することができる。
【図面の簡単な説明】
【０００８】
【図１】実施例および比較例の試験水において硫酸バリウムの沈殿を形成した際のＢａ／ＳＯ４比と、溶存Ｓｅ濃度［ｍｇ／Ｌ］及び溶存ＳＯ４濃度［ｍｇ／Ｌ］の関係を示す図である。
【発明を実施するための形態】
【０００９】
本発明の第一態様のセレン含有排水の処理方法は、セレンを含む排水中で硫酸バリウムの沈殿を生成する沈殿工程と、前記排水から前記沈殿を除去する除去工程と、を有し、前記除去工程において、前記セレンを前記沈殿と共に前記排水から除去する方法である。
【００１０】
前記排水中に含まれるセレンは、除去効率を高める観点から、セレンのオキソ酸であることが好ましい。ここで、セレンのオキソ酸とは、１つの無機原子に水酸基（−ＯＨ）及びオキソ基（＝Ｏ）が結合しており、且つその水酸基のプロトンが脱離し得るセレン化合物である。オキソ酸は水中では前記プロトンが脱離したオキソ酸イオンとなり得る。
セレンのオキソ酸イオンとしては、セレン酸イオン（ＳｅＯ４２−）、セレン酸水素イオン（ＨＳｅＯ４−）、亜セレン酸イオン（ＳｅＯ３２−）、亜セレン酸水素イオン（ＨＳｅＯ３−）が挙げられる。これらのうち、硫酸イオン（ＳＯ４２−）の形態に近く、硫酸イオンとともに沈殿させることがより容易なセレン酸イオンがより好ましい。
【００１１】
前記排水中に含まれるセレン濃度は、特に限定されないが、工事現場の排水中に含まれる典型的なセレン濃度は、０．０１〜１ｍｇ／ｍｌの範囲である。ここで、「セレン濃度」は、イオン形態の種類によらず、セレンを含むイオンをセレン原子と見なした場合のセレン原子換算の濃度である。
公的な環境基準において、排水中に含まれるセレン濃度は０．０１ｍｇ／ｍｌ未満にすることが推奨又は要求されている。したがって、本態様が処理対象とする前記排水中のセレンの初期濃度（処理前の濃度）は、イオン形態によらず、セレン原子換算で０．０１ｍｇ／Ｌ以上であることが好ましい。本態様によれば、排水中に含まれるセレン濃度を０．０１ｍｇ／ｍｌ未満に低下させた処理済み排水が得られる。
【００１２】
［沈殿工程］
セレンが含まれる処理対象の排水中で硫酸バリウムの沈殿を生成する方法としては、前記排水に、硫酸イオン及びバリウムイオンのうち少なくとも一方を添加する方法が挙げられる。
工事現場において硫黄を含有する岩石又は土砂が存在する場合、その工事現場から発生する排水には予め硫酸イオンが含まれている場合がある。前記排水に予め硫酸イオンが含まれる場合には、バリウムイオンを添加することによって、非水溶性の硫酸バリウムの沈殿を自然に生成させることができる。
工事現場においてバリウムを含有する岩石又は土砂が存在する場合、その工事現場から発生する排水には予めバリウムイオンが含まれている場合がある。前記排水に予めバリウムイオンが含まれる場合には、硫酸イオンを添加することによって、非水溶性の硫酸バリウムの沈殿を自然に生成させることができる。
前記排水に予め硫酸イオン又はバリウムイオンが含まれているか否かに関わらず、前記排水に硫酸イオン及びバリウムイオンを添加することによって、非水溶性の硫酸バリウムの沈殿を自然に生成させることができる。
【００１３】
沈殿工程において、硫酸バリウムの沈殿の生成をより容易にする観点から、前記排水に含まれるバリウムイオンの合計と、前記排水に含まれる硫酸イオンの合計のモル比（Ｂａ／ＳＯ４モル比）が、０．９以上であることが好ましい。
ここで、前記排水に含まれるバリウムイオンは、遊離の状態と沈殿に含まれた状態の両方を含む。同様に、前記排水に含まれる硫酸イオンは、遊離の状態と沈殿に含まれた状態の両方を含む。
【００１４】
通常、沈殿工程の初期から終期にかけて、遊離のバリウムイオンは徐々に減り、沈殿に含まれる（硫酸バリウムを構成する）バリウムイオンが徐々に増える。同様に、沈殿工程の初期から終期にかけて、遊離の硫酸イオンは徐々に減り、沈殿に含まれる（硫酸バリウムを構成する）硫酸イオンが徐々に増える。前記Ｂａ／ＳＯ４モル比は、沈殿工程の初期〜終期の何れの段階であってもよい。
【００１５】
前記Ｂａ／ＳＯ４モル比は、０．９以上が好ましく、１．０以上がより好ましく、１．１以上がさらに好ましい。
前記Ｂａ／ＳＯ４モル比が０．９以上であると、環境基準を下回るセレン濃度まで低下させることができる。前記Ｂａ／ＳＯ４比が１．０以上であると、前記排水中に含まれるセレンのほとんど全てを硫酸バリウムの沈殿内に取り込んで、前記排水から除去することができる。前記Ｂａ／ＳＯ４モル比が１．１以上であると、１．０である場合よりも確実に、前記排水中に含まれるセレンのほとんど全てを硫酸バリウムの沈殿内に取り込んで、前記排水から除去することができる。
【００１６】
前記Ｂａ／ＳＯ４モル比は、前記排水中に予め含まれるバリウムイオン又は硫酸イオンのモル数、及び添加するバリウムイオンのモル数と硫酸イオンのモル数に基づいて算出することができる。また、前記排水を誘導結合プラズマ（ＩＣＰ）発光分光法によって分析して、前記排水中のバリウムのモル数とＳＯ４のモル数を求めてもよい。
【００１７】
前記排水に添加する硫酸イオン及びバリウムイオンの濃度としては、前記排水に含まれるセレン濃度を１モル部としたとき、例えば、硫酸イオンを０．８万〜１．２万モル部添加し、バリウムイオンを０．８万〜１．２万モル部添加することが挙げられる。この際、硫酸イオンとバリウムイオンを添加する順序は任意でよい。
上記の添加量において、硫酸イオンを０．９万〜１．１万モル部添加してもよく、バリウムイオンを０．９万〜１．１万モル部添加してもよい。
上記の添加量において、硫酸イオンを０．９５万〜１．０５万モル部添加してもよく、バリウムイオンを０．９５万〜１．０５万モル部添加してもよい。
上記の硫酸イオンとバリウムイオンのモル比で添加すると、添加した硫酸イオンのほとんど全てが硫酸バリウムの沈殿の形成に消費される。この結果、形成された硫酸バリウムの沈殿に前記排水中のセレンのほとんど全てを固溶体として取り込ませることができる。
【００１８】
具体例として、前記排水のセレンの初期濃度が０．０８ｍｇ／Ｌ（約１×１０−６モル／Ｌ、１モル部）である場合、前記排水に硫酸イオン１０００ｍｇ／Ｌ（約１×１０−２モル／Ｌ、１万モル部）を添加し、前記排水にバリウムイオン１．４ｇ／Ｌ（約１×１０−２モル／Ｌ、１万モル部）を添加することが好ましい。この添加によって、前記排水中の硫酸イオンのほとんど全てが硫酸バリウムの沈殿の形成に消費される。この結果、形成された硫酸バリウムの沈殿に前記排水中のセレンのほとんど全てを固溶体として取り込ませることができる。
【００１９】
上記のように硫酸イオンの全てを消費するために必要なバリウムイオンの量は、硫酸バリウムの溶解度積［Ｂａ２＋］［ＳＯ４２−］=１０−９．９７から算出される（但し、活量は考慮しない）。
なお、上記のように硫酸イオンを添加せず、セレンの上記初期濃度の全てがバリウムイオンと結合してセレン酸バリウムの沈殿（硫酸バリウムと同様に沈殿を形成するものとする）を形成するために必要なバリウムの添加量は、３８．５ｇ／Ｌ（０．２８モル／Ｌ）である。この添加量は、セレン酸バリウムの溶解度積［Ｂａ２＋］［ＳｅＯ４２−］= １０−７．４５から算出される（但し、活量は考慮しない）。
上記の計算から、本態様の方法、すなわち排水中に含まれるセレン酸イオンを硫酸イオンと共存させ、さらに硫酸バリウムの沈殿中に取り込む方法によれば、排水中に含まれるセレン酸イオンを硫酸イオンの共存なしでバリウムイオンと結合させてセレン酸バリウムの沈殿を形成する方法に比べて、バリウムイオンの添加量を格段に低減することができる。
【００２０】
また、本態様の方法によれば、添加した硫酸イオンのほとんど全てを消費して硫酸バリウムの沈殿を形成することによって、前記排水中のセレンのほとんど全てをその沈殿に取り込ませることができる。この効果は、後述の実施例の結果によって示されている。
【００２１】
前記排水に硫酸イオンを添加する方法としては、例えば、硫酸を前記排水に添加する方法が挙げられる。
前記排水にバリウムイオンを添加する方法としては、例えば、塩化バリウム、水酸化バリウムを前記排水に添加する方法が挙げられる。
前記排水のｐＨ及び温度は、硫酸バリウムの沈殿が形成されるｐＨ及び温度であれば特に限定されない。通常、ｐＨ１〜９の範囲、１〜４０℃の条件であれば、硫酸イオン及びバリウムイオンの添加後、数分のうちに硫酸バリウムの形成が完了する。
【００２２】
［除去工程］
セレンを取り込んだ硫酸バリウムの沈殿を前記排水から除去し、回収する方法としては、例えば、沈殿法、濾過法等が挙げられる。沈殿法としては、例えば、前記排水を静置して沈殿させる方法、前記排水に硫酸バンド、ＰＡＣ、高分子ポリマー凝集剤等を添加して凝集させて沈殿させる方法等が挙げられる。
回収したセレンを含む硫酸バリウムの沈殿は、法律などによって定められた方法で別途処理される。セレンを除去した排水は、法律を遵守して適切に廃棄される。
【００２３】
本発明の第二態様は、セレンを含む水中に添加し前記セレンを除去する薬剤であって、主要な成分の１つとして硫酸バリウムを含む薬剤である。
前記薬剤の総質量に対する硫酸バリウムの含有量は、前記薬剤を前記水中に添加したときに、前記セレンを充分に吸着し得る量であれば特に限定されず、例えば５０質量％〜１００質量％とすることができる。
前記薬剤の形態は、液体であってもよいし、固体であってもよい。固体である場合は、水中に添加して撹拌することが容易であることから、粉体又は顆粒であることが好ましい。
前記薬剤に含まれていてもよい硫酸バリウム以外の成分としては、分散媒成分、希釈剤成分等が挙げられる。分散媒成分としては、例えば、水、アルコール等が挙げられる。希釈剤成分としては、例えば、種々の無機塩、砂、木粉等が挙げられる。
【００２４】
本発明の第三態様は、セレンを含む排水中に前記薬剤を投入する投入工程と、前記排水を投入された前記薬剤とともに撹拌する撹拌工程と、撹拌された前記排水を静置して前記薬剤に含まれる硫酸バリウムを沈殿させ、該排水から前記沈殿を除去する除去工程と、を有し、前記除去工程において前記セレンを前記沈殿と共に前記排水から除去する、セレン含有排水の処理方法である。
前記投入工程において、前記排水中の単位体積当たりのセレン濃度（Ｓｅ化合物がＳｅ原子であるとした場合の濃度）１質量部に対して、投入（添加）する硫酸バリウムの硫酸イオン濃度（硫酸バリウムが硫酸イオンであるとした場合の濃度）は、１０００質量部以上が好ましく、２０００質量部以上がより好ましく、５０００質量部以上がさらに好ましく、１０，０００質量部以上が特に好ましい。硫酸バリウムの添加量の上限は特に限定されないが、後段の除去工程をより容易に行う観点から、必要充分な添加量に近いことが好ましく、例えば、１０万質量部以下が目安として挙げられる。
上記の割合で硫酸バリウムを添加することにより、硫酸バリウムに対して前記排水中のセレンを充分に吸着させることができる。
前記投入工程及び前記撹拌工程において、前記排水及びこれに含まれる硫酸バリウムの沈殿を撹拌する方法は特に限定されず、例えば、排水及び硫酸バリウムを含む排水を撹拌翼又は曝気装置を備えた処理槽に投入して撹拌する方法が挙げられる。
前記撹拌工程における撹拌時間は特に限定されず、例えば、１２時間〜１０日間程度が挙げられる。この撹拌工程において、硫酸バリウムにセレンが吸着する。
前記除去工程は、前述の第一態様における除去方法と同様に行うことができる。
本発明の第三態様によって、水に含まれるセレンを水に不溶な硫酸バリウムに吸着させ、硫酸バリウムの沈殿とともにセレンを水から除去することができる。
【実施例】
【００２５】
［比較例１］
セレンの初期濃度０．０８ｍｇ／Ｌ（約１×１０−６モル／Ｌ）であるセレン酸ナトリウム水溶液（以下、試験水と記す。）１Ｌを調製した。ここでセレンの初期濃度は、セレン酸ナトリウムがＳｅ原子であるとした場合の濃度である。
試験水に硫酸イオン８９０ｍｇ／Ｌの濃度となるように硫酸を添加し、２４時間静置した後、濾紙に通して沈殿を除去し、得られた濾液に含まれる溶存セレン濃度をＪＩＳ  Ｋ０１０２：２０１３年の「６７．セレンのＩＣＰ質量分析法」によって測定した。同様に、濾液に含まれる溶存硫酸イオン濃度をイオンクロマトグラフ法によって測定した。
その結果、図１にプロットしたように、溶存セレン濃度は初期濃度とほぼ同じであり、溶存硫酸イオン濃度は添加した濃度とほぼ同じであった。本試験においては、試験水中で硫酸バリウムの沈殿を形成していないので、セレンを回収することはできなかった。
【００２６】
［実施例１］
別途調製した前記試験水に硫酸イオン８９０ｍｇ／Ｌの濃度となるように硫酸（約０．９０９ｇ、約９．２７ｍＭ）を添加し、さらにＢａ／ＳＯ４モル比が０．５となるように塩化バリウム（約０．６３６ｇ、約４．６３ｍＭ）を添加して溶解させ、２４時間静置した。生成した硫酸バリウムの沈殿を濾紙に通して除去し、得られた濾液に含まれる溶存セレン濃度及び溶存硫酸イオン濃度を上記と同様に測定した。
その結果、図１にプロットしたように、溶存セレン濃度は約０．０６４ｍｇ／Ｌまで低減し、硫酸イオン濃度は約４１０ｍｇ／Ｌまで低減した。
【００２７】
［実施例２］
別途調製した前記試験水に硫酸イオン８９０ｍｇ／Ｌの濃度となるように硫酸（約０．９０９ｇ、約９．２７ｍＭ）を添加し、さらにＢａ／ＳＯ４モル比が０．６となるように塩化バリウム（約０．７６３ｇ、約５．５６ｍＭ）を添加して溶解させ、２４時間静置した。生成した硫酸バリウムの沈殿を濾紙に通して除去し、得られた濾液に含まれる溶存セレン濃度及び溶存硫酸イオン濃度を上記と同様に測定した。
その結果、図１にプロットしたように、溶存セレン濃度は約０．０５６ｍｇ／Ｌまで低減し、硫酸イオン濃度は約３４０ｍｇ／Ｌまで低減した。
【００２８】
［実施例３］
別途調製した前記試験水に硫酸イオン８９０ｍｇ／Ｌの濃度となるように硫酸（約０．９０９ｇ、約９．２７ｍＭ）を添加し、さらにＢａ／ＳＯ４モル比が０．７となるように塩化バリウム（約０．８９１ｇ、約６．４９ｍＭ）を添加して溶解させ、２４時間静置した。生成した硫酸バリウムの沈殿を濾紙に通して除去し、得られた濾液に含まれる溶存セレン濃度及び溶存硫酸イオン濃度を上記と同様に測定した。
その結果、図１にプロットしたように、溶存セレン濃度は約０．０５１ｍｇ／Ｌまで低減し、硫酸イオン濃度は約２５０ｍｇ／Ｌまで低減した。
【００２９】
［実施例４］
別途調製した前記試験水に硫酸イオン８９０ｍｇ／Ｌの濃度となるように硫酸（約０．９０９ｇ、約９．２７ｍＭ）を添加し、さらにＢａ／ＳＯ４モル比が０．８となるように塩化バリウム（約１．０１８ｇ、７．４２ｍＭ）を添加して溶解させ、２４時間静置した。生成した硫酸バリウムの沈殿を濾紙に通して除去し、得られた濾液に含まれる溶存セレン濃度及び溶存硫酸イオン濃度を上記と同様に測定した。
その結果、図１にプロットしたように、溶存セレン濃度は約０．０４１ｍｇ／Ｌまで低減し、硫酸イオン濃度は約１２０ｍｇ／Ｌまで低減した。
【００３０】
［実施例５］
別途調製した前記試験水に硫酸イオン８９０ｍｇ／Ｌの濃度となるように硫酸（約０．９０９ｇ、約９．２７ｍＭ）を添加し、さらにＢａ／ＳＯ４モル比が０．９となるように塩化バリウム（約１．１４５ｇ、約８．３４ｍＭ）を添加して溶解させ、２４時間静置した。生成した硫酸バリウムの沈殿を濾紙に通して除去し、得られた濾液に含まれる溶存セレン濃度及び溶存硫酸イオン濃度を上記と同様に測定した。
その結果、図１にプロットしたように、溶存セレン濃度は約０．０４２ｍｇ／Ｌまで低減し、硫酸イオン濃度は約５９ｍｇ／Ｌまで低減した。
【００３１】
［実施例６］
別途調製した前記試験水に硫酸イオン８９０ｍｇ／Ｌの濃度となるように硫酸（約０．９０９ｇ、約９．２７ｍＭ）を添加し、さらにＢａ／ＳＯ４モル比が１．０となるように塩化バリウム（約１．２７３ｇ、約９．２７ｍＭ）を添加して溶解させ、２４時間静置した。生成した硫酸バリウムの沈殿を濾紙に通して除去し、得られた濾液に含まれる溶存セレン濃度及び溶存硫酸イオン濃度を上記と同様に測定した。
その結果、図１にプロットしたように、溶存セレン濃度は、環境基準値を下回り、約０．００４ｍｇ／Ｌまで低減し、硫酸イオン濃度はほぼ０ｍｇ／Ｌまで低減した。
【００３２】
［実施例７］
別途調製した前記試験水に硫酸イオン８９０ｍｇ／Ｌの濃度となるように硫酸（約０．９０９ｇ、約９．２７ｍＭ）を添加し、さらにＢａ／ＳＯ４モル比が１．２となるように塩化バリウム（約１．５２７ｇ、約１１．１２ｍＭ）を添加して溶解させ、２４時間静置した。生成した硫酸バリウムの沈殿を濾紙に通して除去し、得られた濾液に含まれる溶存セレン濃度及び溶存硫酸イオン濃度を上記と同様に測定した。
その結果、図１にプロットしたように、溶存セレン濃度は、環境基準値を下回り、ほぼ０ｍｇ／Ｌまで低減し、硫酸イオン濃度もほぼ０ｍｇ／Ｌまで低減した。
【００３３】
以上の結果から、処理対象の試験水に対して、前記Ｂａ／ＳＯ４比が０．９５以上となるように、セレン初期濃度１モル部に対して、硫酸イオン及びバリウムイオンをそれぞれ０．８万〜１．２万モル部の濃度となるように添加することによって、添加した硫酸イオンのほとんど全てを消費して硫酸バリウムの沈殿を生成させることができた。また、その硫酸バリウムの沈殿にセレンのほとんど全てを取り込み、試験水から除去することができた。
【００３４】
［試験例Ａ］
セレンの初期濃度０．９７８ｍｇ／Ｌであるセレン酸ナトリウム水溶液１Ｌ×４本（以下、試験水Ａ１〜Ａ４と記す。）を調製した。ここでセレンの初期濃度は、セレン酸ナトリウムがＳｅ原子であるとした場合の濃度である。
試験水Ａ１には硫酸バリウムを添加せず、試験水Ａ２には硫酸イオン換算で５００ｍｇ／Ｌとなるように硫酸バリウムを添加し、試験水Ａ３には硫酸イオン換算で１０００ｍｇ／Ｌとなるように硫酸バリウムを添加し、試験水Ａ４には硫酸イオン換算で２０００ｍｇ／Ｌとなるように硫酸バリウムを添加した。ここで硫酸イオン換算の濃度とは、添加した硫酸バリウムが硫酸イオンであるとした場合の濃度である。
硫酸バリウムを添加した各試験水（混合液）について、一時間撹拌した後、フィルター濾過で硫酸バリウムの沈殿を除去して、濾液に含まれるセレン濃度を上記のＩＣＰ質量分析法によって調べた。
その結果、試験水Ａ１の濾液には０．９７８ｍｇ／Ｌのセレンが残留しており、試験水Ａ２の濾液には０．９４４ｍｇ／Ｌのセレンが残留しており、試験水Ａ３の濾液には０．７８８ｍｇ／Ｌのセレンが残留しており、試験水Ａ４の濾液には０．０３２ｍｇ／Ｌのセレンが残留していた。
以上の結果から、単位体積当たりの処理対象水に含まれるセレン濃度１質量部に対して、２０００質量部以上の硫酸バリウムを添加することにより、処理対象水のセレンを充分に除去できることが明らかである。
【００３５】
以上で説明した各実施形態における各構成及びそれらの組み合わせ等は一例であり、本発明の趣旨を逸脱しない範囲で、公知の構成の付加、省略、置換、およびその他の変更が可能である。
【産業上の利用可能性】
【００３６】
本発明は、セレンが含まれる汚染水を浄化する用途に広く適用できる。
【図１】
2018202270.tif 000002